(57)【要約】【課題】  一般車両の駐車領域を確保して駐車場全体の利用率を高めるために、定期車両が決められた領域外の駐車領域に許容された時間以上駐車した時には、確実に駐車料金を徴収するように構成することによって、定期車両が無料で利便性の良い駐車領域に駐車する不正を防止できるように工夫した駐車場管理装置を提供する。【解決手段】  同一駐車場１０内に、利便性の良い一般駐車領域２０と定期車駐車領域３０を設け、定期車駐車領域３０の入口３１に、定期車が駐車場１０の入庫口１１を入ってから、定期車駐車領域３０の入口３１に至るまでの入庫経過時間を計算することができる入口認証機３３を設け、駐車場１０の出庫口１２は、上記入庫経過時間が入庫許容時間をタイムオーバーしている場合、及び、定期車が定期車駐車領域３０の出口３２を出てから出庫口１２に至るまでの出庫経過時間が出庫許容時間をタイムオーバーしている場合に、定期車に対して駐車料金を課金する駐車料金精算機２４を設ける。【選択図】    図１
2007200056.tif 000002
【特許請求の範囲】
【請求項１】
同一駐車場内に一般車駐車領域と、定期券を使用する定期車専用の特定駐車領域とを有する駐車場であり、且つ、駐車場の入庫口には、入庫車両を検知すると入庫時刻を記録した駐車券を発行して入庫を許可し、また、定期券が挿入された場合には、定期券に入庫時刻を記録した後、これを返却して入庫を許可する入庫管理部を設けると共に、当該駐車場の出庫口には、上記の駐車券を料金精算機に読み取らせて駐車料金の精算を済ませた場合、或いは、上記の定期券を料金精算機に読み取らせた場合に、車両の出庫を許可する出庫管理部を設けた駐車場管理装置であって、
上記特定駐車領域の入口と出口の夫々に、挿入された定期券に対して、特定駐車領域への入庫時刻を記録する入口認証部と、特定駐車領域からの出庫時刻を記録する出口認証部とを設け、
上記出庫口に設けた料金精算機には、上記定期車が駐車場の入庫口から上記特定駐車領域の入口に至るまでに要した入庫経過時間、又は、上記定期車が特定駐車領域の出口から駐車場の出庫口に至るまでに要した出庫経過時間が、予め定められている許容時間を経過している場合に、当該定期車に対してその経過時間に見合った駐車料金を算出して課金する経過時間課金手段を具備せしめたことを特徴とする駐車場管理装置。
【請求項２】
前記入庫管理部に、定期券の処理時刻記録部に対して入庫時刻を記録する入庫記録手段と、定期券の一般領域駐車時間記録部を初期化する初期化手段が設けられていることを特徴とする請求項１に記載の駐車場管理装置。
【請求項３】
前記入口認証部に、前記駐車場の入庫口から前記特定駐車領域の入口に至るまでの許容時間を任意に設定することができる入庫許容時間設定手段と、定期券に記録されている入庫時刻と現在時刻とから入庫経過時間を計算して、経過時間が上記設定された入庫許容時間よりも長い場合に、その経過時間を定期券の一般領域駐車時間記録部に記録する入庫経過時間記録手段が設けられていることを特徴とする請求項１又は２に記載の駐車場管理装置。
【請求項４】
前記料金精算機に、前記特定駐車領域の出口から駐車場の出庫口に至るまでの許容時間を任意に設定することができる出庫許容時間設定手段と、定期券に記録されている特定駐車領域からの出庫時刻と現在時刻とから出庫経過時間を計算して、経過時間が上記設定された出庫許可時間よりも長い場合に、その経過時間に応じた駐車料金を計算する出庫経過時間計算手段と、定期券に前記入庫経過時間の記録が存在する場合に、この経過時間に応じた駐車料金を計算する入庫経過駐車料金算出手段が設けられていることを特徴とする請求項１、２又は３に記載の駐車場管理装置。
【発明の詳細な説明】
【技術分野】
【０００１】
本発明は、有料駐車場内に利便性の良い駐車領域と利便性の悪い駐車領域が存在する場合に、利便性の悪い駐車領域の利用を促進させて、双方の駐車領域の利用率を均一化し、駐車場全体の利用率を高めることを可能にした駐車場管理装置に関するものである。
【背景技術】
【０００２】
駐車領域の利便性に合わせて、異なる課金単価が設定されている課金体系を用いた駐車場管理装置に関しては、従来より、例えば特許文献１に記載の「駐車場及び駐車場運営支援システム」が存在する。    
【０００３】
この特許文献１に記載の駐車システムは、構内に形成された複数の駐車ますに対して、その利便性に合わせて異なる課金単価を設定することにより、駐車ます数分の課金体系を構築し、利用客にこれ等駐車ますを自由に選ばせて駐車せるように構成したものであって、利便性の悪い駐車ます（スペース）の駐車料金を安く設定することにより、その利用を促進させる特徴を備えている。
【０００４】
しかし、上記特許文献１に記載された駐車システムは、複数の駐車ます（駐車スペース）の夫々に駐車券用の発券装置が備えられていて、車両を通車させる際に、夫々の駐車スペースで駐車券を発券するように構成されているために、駐車場の設備が極めて大掛かりになってコストが嵩んでしまい、容易に実施できない問題があった。
【０００５】
そこで本出願人は、特許文献２に記載の発明に見られるように、利便性の悪い特定駐車領域に、この特定駐車領域を利用したことを証明するステータスを定期券に記録する認証機を設けるだけの極めて簡単な装置を使用するだけで、利便性の良い駐車領域と、利便性の悪い駐車領域における利用率の均一化を図って、駐車場全体の利用率を高めることを可能にした駐車場管理装置を開発した。
【特許文献１】特開２００１−２７３５３１号公報
【特許文献２】特開２００５−２２７９１８号公報
【発明の開示】
【発明が解決しようとする課題】
【０００６】
上記特許文献２に記載の駐車場管理装置によれば、定期車両が使用する定期券に、利便性の悪い領域を通過したステータスの記録が無い場合に、利便性の良い領域に駐車していたものとして課金することによって、駐車領域に対する利用率の均一化を図るものであるが、しかし、この駐車場管理装置では定期車両が利便性の良い領域に駐車して、その後、出庫する時に利便性の悪い駐車領域の認証機を通過すれば、無料で出庫することができ、また、入庫後すぐに利便性の悪い駐車領域の認証機を通過してから、利便性の良い駐車領域に駐車して出庫した場合にも、同様に無料で出庫できる問題があった。
【０００７】
本発明は上述した問題点を解決するために開発されたものであって、その技術的課題は、一般車両の駐車領域を確保して駐車場全体の利用率を高めるために、定期車両が決められた領域外の駐車領域に許容された時間以上駐車した時には、確実に駐車料金を徴収するように構成することによって、定期車両が無料で利便性の良い駐車領域に駐車する不正を防止できるように工夫した駐車場管理装置を提供することである。
【課題を解決するための手段】
【０００８】
（１）  上記の技術的課題を解決するために、本出願の請求項１に係る発明は、同一駐車場内に一般車駐車領域と、定期券を使用する定期車専用の特定駐車領域とを有する駐車場であり、且つ、駐車場の入庫口には、入庫車両を検知すると入庫時刻を記録した駐車券を発行して入庫を許可し、また、定期券が挿入された場合には、定期券に入庫時刻を記録した後、これを返却して入庫を許可する入庫管理部を設けると共に、当該駐車場の出庫口には、上記の駐車券を料金精算機に読み取らせて駐車料金の精算を済ませた場合、或いは、上記の定期券を料金精算機に読み取らせた場合に、車両の出庫を許可する出庫管理部を設けた駐車場管理装置であって、上記特定駐車領域の入口と出口の夫々に、挿入された定期券に対して、特定駐車領域への入庫時刻を記録する入口認証部と、特定駐車領域からの出庫時刻を記録する出口認証部とを設け、上記出庫口に設けた料金精算機には、上記定期車が駐車場の入庫口から上記特定駐車領域の入口に至るまでに要した入庫経過時間、又は、上記定期車が特定駐車領域の出口から駐車場の出庫口に至るまでに要した出庫経過時間が、予め定められている許容時間を経過している場合に、当該定期車に対してその経過時間に見合った駐車料金を算出して課金する経過時間課金手段を具備せしめたことを特徴としている。
【０００９】
（２）  また、本発明の請求項２に係る駐車場管理装置は、前記入庫管理部に、定期券の処理時刻記録部に対して入庫時刻を記録する入庫記録手段と、定期券の一般領域駐車時間記録部を初期化する初期化手段が設けられていることを特徴としている。
【００１０】
（３）  また、本発明の請求項３に係る駐車場管理装置は、前記入口認証部に、前記駐車場の入庫口から前記特定駐車領域の入口に至るまでの許容時間を任意に設定することができる入庫許容時間設定手段と、定期券に記録されている入庫時刻と現在時刻とから入庫経過時間を計算して、経過時間が上記設定された入庫許容時間よりも長い場合に、その経過時間を定期券の一般領域駐車時間記録部に記録する入庫経過時間記録手段が設けられていることを特徴としている。
【００１１】
（４）  更に、本発明の請求項４に係る駐車場管理装置は、前記料金精算機に、前記特定駐車領域の出口から駐車場の出庫口に至るまでの許容時間を任意に設定することができる出庫許容時間設定手段と、定期券に記録されている特定駐車領域からの出庫時刻と現在時刻とから出庫経過時間を計算して、経過時間が上記設定された出庫許可時間よりも長い場合に、その経過時間に応じた駐車料金を計算する出庫経過時間計算手段と、定期券に前記入庫経過時間の記録が存在する場合に、この経過時間に応じた駐車料金を計算する入庫経過駐車料金算出手段が設けられていることを特徴としている。
【００１２】
上記（１）、（２）、（３）、（４）で述べた各手段によれば、駐車場における利便性や各種条件を考慮に入れて、平面式駐車場や、多階層構造の自走式立体駐車場の場合は、例えば入庫口や出庫口に対する距離的条件、或いは、時間的条件、その他環境的条件等に合わせて、利便性の良い駐車領域と利便性の悪い駐車領域とに区分けして、利便性の悪い駐車領域を定期券を使用する定期車両専用にすることにより、利便性の悪い駐車領域の利用を促進可能にする。
【００１３】
一方、平面式駐車場と機械式駐車場や多階層構造の自走式立体駐車場が併合された併合式駐車場の場合には、簡単に駐車ができる平面式駐車場を利便性の良い駐車領域とし、駐車に時間や手間が掛かる機械式駐車場や自走式立体駐車場を利便性の悪い駐車領域として、これを上記定期車専用にすることにより、利便性の悪い機械式駐車場や自走式立体駐車場の利用を促進することを可能にする。  
【００１４】
更に（１）、（２）、（３）、（４）で述べた各手段によれば、定期車が決められた領域以外の駐車領域、即ち、上述した利便性の良い一般車両用の駐車領域に、予め定められている許容時間以上駐車した場合には、その駐車実績が定期券に記録され、出庫時にその駐車時間に相当する駐車料金が徴収されることになるため、定期車両による利便性の良い駐車領域への不正駐車（無料駐車）を防止できると共に、不正駐車があった場合には、その駐車料金を確実に徴収することを可能にする。
【発明の効果】
【００１５】
以上述べた次第で、本発明に係る駐車場管理装置によれば、定期券を使用する定期車両が利便性の良い駐車領域へ駐車した後、無料で出庫する不正駐車を確実に予防することができるため、一般車用の利便性の良い駐車領域が確保されて、駐車場全体の利用率を高めることができる利点を発揮できるものであって、利便性の良い駐車領域を一般車用とし、利便性の悪い駐車領域を定期車専用の駐車領域として運営する駐車場に実施して、頗る好適な効果を奏することができる。
【発明を実施するための最良の形態】
【００１６】
以下に、上述した本発明に係る駐車場管理装置の実施の形態を図面と共に説明すると、図１は本発明が実施された平面式駐車場１０の構成を示した構成図であって、図中、１１と１２は平面式駐車場１０の入庫口と出庫口、２０と３０は、この平面式駐車場１０の内部に区画形成された利便性が良い一般車駐車領域と、利便性が悪い定期車駐車領域（特定駐車領域）を示す。
【００１７】
利便性が良い一般車駐車領域２０は、入庫口１１及び出庫口１２に近く、また、その他距離的条件、時間的条件、或いは、環境的条件等に優れた通常駐車スペースであり、また、利便性の悪い定期車駐車領域３０は、入庫口１１及び出庫口１２が遠く、更に、その他距離的条件、時間的条件、或いは、環境的条件等が悪い特定駐車スペースであって、これ等両駐車領域２０と３０の間は、例えばブロック、柵、ロープ、ライン、又は、壁等の区画手段を用いて区画形成されていて、定期車駐車領域３０には、例えば非接触ＩＣ媒体、磁気カード、或いは、携帯端末等から成る定期券（図示省略）を用いて駐車を行う定期車用の入口３１と出口３２が設けられている。
【００１８】
更に図１において、２１は上記駐車場１０の入庫口１１（実際には一般車駐車領域２０の入庫口）の部分に設置した駐車券発行機２１Ａと定期券読取機２１Ｂを一体化した入庫管理機、２３Ｇは入庫口１１を開閉する入口ゲート、２３はこの入口ゲート２３Ｇを開閉作動する入口ゲート開閉機で、入庫口１１にはこれ等入庫管理機２１と入口ゲート２３Ｇ及びその開閉機２３から成る入庫管理部１１Ｔが構成されている。
【００１９】
また、上記駐車場１０の出庫口１２（実際には一般車駐車領域２０の出庫口）には、定期券読取機を兼ねる出口料金精算機２４と、出庫口１２を開閉する出口ゲート２５Ｇを備えた出口ゲート開閉機２５から成る出庫管理部１２Ｔが構成されている。
【００２０】
前記入庫管理部１１Ｔを構成する駐車券発行機２１Ａは、定期券を使用しない一般車に対して入庫時刻を記録した駐車券を発行し、また、定期券読取機２１Ｂは、定期券の処理時刻記録部（図７に示したデータフォーマット参照）に入庫時刻を記録する入庫記録機能を備えていて、これ等駐車券又は定期券を利用客が駐車券発行機２１Ａ又は定期券読取機２１Ｂから抜き取ると、開閉機２３は入口ゲート２３Ｇを開いて車両の入庫を許可する仕組みに成っている。
【００２１】
一方、前述した定期車駐車領域３０（特定駐車領域）の入口３１には、定期券の処理時刻記録部に対して、定期車が当該駐車領域３０に入庫する時刻を記録する入口認証部としての定期券入口認証機３３と、入庫時刻の記録を終えた定期券を利用客が認証機３３から抜き取ると、入口ゲート３４Ｇを開いて定期車の入庫を許可する入口ゲート開閉機３４が設けられている。
【００２２】
更に、上記定期券入口認証機３３には、定期車が前記入庫口１１から入庫して、当該入庫口１１から定期車駐車領域３０に入庫するまで（現在時刻まで）の入庫許可時間、具体的には、定期券に定期券読取機２１Ｂが入庫時刻を記録してから、定期券入口認証機３３が定期券を読み取る迄の入庫許容時間を、予め設定（例えば１〜５分程度）するための入庫許容時間設定手段と、定期券に記録されている入庫時刻と現在時刻とから、定期車が入庫口１１から入庫して定期車駐車領域３０の入口３１に至るまでの経過時間を計算して、この経過時間が上記設定された入庫許容時間をタイムオーバーしている場合に、その入庫経過時間を定期券の一般領域駐車時間記録部（図７のデータフォーマット参照）に記録する入庫経過時間記録手段が具備されている。
【００２３】
更に図１において、３５は上記定期車駐車領域３０の出口３２に設置した出口認証部としての定期券出口認証機で、この認証機３５は差し込まれた定期券の処理時刻記録部に、現在時刻（出口通過時刻）を記録するための通過時刻記録手段が具備されている。また、３６は利用客が上記定期券出口認証機３５から定期券を抜き取ると、出口ゲート３６Ｇを開いて定期車の出庫を可能にする出口ゲート開閉機を示す。
【００２４】
また、前記駐車場１０の出庫口１２に設置された出口料金精算機２４には、上記定期車駐車領域３０の出口３２から出た定期車が、上記出庫口１２に至るまでの許容時間、具体的には、上記定期券出口認証機３５が定期券に通過時刻を記録してから、定期券が出口料金精算機２４に差し込まれて読み取られるまでの出庫許容時間を、予め設定（例えば１〜５分程度）するための出庫許容時間設定手段と、定期券に記録されている上記定期車駐車領域３０の出口通過時刻と現在時刻とから出庫経過時間を計算して、この出庫経過時間が上記出庫許容時間をタイムオーバーしている場合に、その出庫経過時間に応じた駐車料金（一般車駐車領域２０を利用した駐車料金）を計算する出庫経過料金計算手段と、この出庫経過料金を当該定期車に対して課金する出庫経過料金課金手段が具備されている。
【００２５】
更に上記出口料金精算機２４には、定期券に前記入庫経過時間の記録がある場合に、この入庫経過時間に応じた駐車料金（一般車駐車領域２０を利用した駐車料金）を計算する入庫経過料金計算手段と、この入庫経過料金を当該定期車に対して課金する入庫経過料金課金手段が具備され、また、一般車駐車領域２０のみを利用して出庫する一般車の駐車料金を、差し込まれた駐車券に記録されている入庫時刻から算出し、且つ、これを当該一般車に対して課金する一般駐車料金計算手段及び課金手段も具備されている。
【００２６】
更に加えて、前記入庫管理部１１Ｔの定期券読取機２１Ｂには、定期車の入庫時に、定期券の一般領域駐車時間記録部を初期化する初期化手段が具備されている。
【００２７】
図２は、前述した定期券入口認証機３３と出口認証機３５の電気的構成を説明したブロック図であって、図中、４０はＣＰＵ、４１は前述した入庫許容時間設定手段と入庫経過時間記録手段、及び、通過時刻記録手段を実現するためのソフトウエアーと、その他必要な制御プログラムを格納したメモリであって、これ等ＣＰＵ４０とメモリ４１の間にバス４２を介して接続したインターフェイス４３には、定期券読取書込み装置４４と、時計部４５と、カード（定期券）搬送装置４６と、表示装置４７と、ゲート開閉機３４，３６が接続されていて、夫々がＣＰＵ４０の監視下でメモリ４１に格納されたプログラムに従って制御作動される仕組みに成っている。
【００２８】
尚、前述した駐車券発行機２１Ａ、定期券読取機２１Ｂ、及び、出口料金精算機２４の具体的構成は、いずれも上記各認証機３３、３５とは、メモリの構成を除いて略同様に構成されており、更に、メモリの構成を除いて従来公知のものとも略同様に構成されているため、その記載を省略することにする。
【００２９】
次に、本発明による車両の入庫と出庫の手順を、図３乃至図６に示したフローチャートに従って説明することにする。
【００３０】
図３は、駐車場１０の入庫口１１で行う入庫処理の処理手順を説明したものであって、初めのステップＳ１で定期券を使用する場合は、ステップＳ２に進んで定期券を定期券読取機２１Ｂに差し込むことにより、入庫時刻の記録と、一般領域駐車時間記録部の初期化を行って、入庫処理を終えるが、ステップＳ１で定期券を使用しない場合は、ステップＳ３に進んで駐車券発行機２１Ａが入庫時刻を記録した駐車券を発行して、入庫処理を終える。
【００３１】
図４は、定期券を用いて定期車を専用の駐車領域３０に入庫させる処理手順を説明したものであて、ステップＳ４で定期券を入口認証機３３に差し込んで読み取りを行うと、ステップＳ５で入庫時刻から現在時刻までの入庫経過時間が計算され、次いで、ステップＳ６に進んで入庫経過時間と予め設定されている入庫許容時間が比較され、入庫経過時間が入庫許容時間をタイムオーバーしている場合には、ステップＳ７に進んで定期券の一般領域駐車時間記録部に、上記タイムオーバーした経過時間を記録して処理を終えるが、ステップＳ６でタイムオーバーしていない（許容時間内）と判断された場合は、そのまま処理が終了される。
【００３２】
図５は、定期車を駐車していた定期車駐車領域３０から出庫させる場合の処理手順を説明したものであって、ステップＳ８で出口認証機３５が差し込まれた定期券を読み取ると、ステップＳ９に進んで現在時刻（通過時刻）が定期券に記録されて処理が終わる。
【００３３】
図６は、駐車していた車両を出庫口１２から出庫させる出庫処理の手順を説明したものであって、初めのステップＳ１０で定期券使用と判断された場合、即ち、料金精算機２４に定期券が挿入された場合には、ステップＳ１１に進んで前記ステップＳ９で記録された出口３２の通過時刻と現在時刻とから、出庫経過時間を計算して、次のステップＳ１２に進む。
【００３４】
ステップＳ１２では、上記出庫経過時間と予め設定されている出庫許容時間が比較されて、出庫経過時間が出庫許容時間をタイムオーバーしている場合は、ステップＳ１３に進んで定期車駐車領域３０に入る前の一般領域駐車時間に、定期車駐車領域３０を出て出口３２に至るまでの経過時間をプラスした駐車時間が計算され、その後、ステップＳ１４に進んで駐車料金が計算されるが、ステップＳ１２でタイムオーバーしていないと判断された場合は、直接ステップＳ１４に進んで駐車料金が計算される。
【００３５】
ステップＳ１４では、定期券の一般領域駐車時間記録部に、前記ステップＳ７で記録した入庫経過時間の記録が存在する場合は、そのタイムオーバー分の駐車料金を計算して、これ等ステップＳ１３及びＳ１４で経過時間の駐車料金が存在する場合は、定期車であったとしても、ステップＳ１５でその駐車料金を徴収（課金）して処理を終えるが、定期車の場合、これ等経過時間の駐車料金が存在しない場合は、そのまま料金精算をせずに無料にて出庫することができる。
【００３６】
尚、前記ステップＳ１０で定期券使用ではなく、駐車券使用と判断された場合は、ステップＳ１６に進んで入庫時刻から駐車料金が算出され、次いで、ステップＳ１５に進んで駐車料金が徴収されることで、処理が終わる。
【図面の簡単な説明】
【００３７】
【図１】本発明に係る駐車場管理装置の全体を説明した構成図。
【図２】入口認証機と出口認証機の電気的構成を説明したブロック図。
【図３】本発明による入庫処理の手順を説明したフローチャート。
【図４】本発明による定期車駐車領域への入庫処理の手順を説明したフローチャート。
【図５】本発明による定期車駐車領域からの出庫処理の手順を説明したフローチャート。
【図６】本発明による駐車料金精算処理の手順を説明したフローチャート。
【図７】定期券のデータフォーマットを示した構成図。
【符号の説明】
【００３８】
１０            駐車場
１１            入庫口
１１Ｔ          入庫管理部
１２            出庫口
１２Ｔ          出庫管理部
２０            利便性が良い一般駐車領域
２１Ａ          駐車券発行機
２１Ｂ          定期券読取機
２３            入口ゲート開閉機
２３Ｇ          入口ゲート
２４            出口料金精算機
２５            出口ゲート開閉機
２５Ｇ          出口ゲート
３０            利便性が悪い定期車駐車領域
３１            入口
３２            出口
３３            入口認証部としての定期券入口認証機
３４            入口ゲート開閉機
３４Ｇ          入口ゲート
３５            出口認証部としての定期券出口認証機
３６            出口ゲート開閉機
３６Ｇ          出口ゲート
【図１】
2007200056.tif 000003
【図２】
2007200056.tif 000004
【図３】
2007200056.tif 000005
【図４】
2007200056.tif 000006
【図５】
2007200056.tif 000007
【図６】
2007200056.tif 000008
【図７】
2007200056.tif 000009